(57)【要約】【課題】  画像データの処理を簡単に実行できる画像処理装置を提供する。【解決手段】  画像データファイルを受け取ると、ステップＳ１１で転送するファイルがあるかを確認し、ファイルがなければ取り込みを終了する。ファイルがあればステップＳ１２へ進み、カメラからファイルを転送し、ステップＳ１３で付加データがあるかどうかを確認し、付加データがなければステップＳ１４で予め決められたデフォルト処理を実行し、付加データがある場合はステップＳ１５で付加データによる処理を行う。ステップＳ１４若しくはステップＳ１５の後はステップＳ１６へ移って処理が成功したかどうかを確認し、成功していればステップＳ１１へ戻り、成功していなければデータの取り込みを終了する。【選択図】        図４
2006005494.tif 000002
【特許請求の範囲】
【請求項１】
画像ファイル内に付加データを付加して記録することができる記録手段を有する画像記録装置と通信することにより前記画像ファイルを受信してデータを転送するデータ転送手段と、
転送されたデータを格納する記憶手段と、
前記画像ファイル内の前記付加データにより指定された処理を行う制御手段と、
を備えることを特徴とする画像処理装置。
【請求項２】
前記付加データは画像の分類データであり、前記付加データにより分類されるファイルを選択して転送することを特徴とする請求項１記載の画像処理装置。
【請求項３】
前記付加データはファイル送信先データであり、転送されたファイルを前記付加データと関連する送信先に送信することを特徴とする請求項１記載の画像処理装置。
【請求項４】
前記付加データは文書作成指示データであり、転送されたファイルから前記付加データにより指示される文書に画像データを埋め込むことを特徴とする請求項１記載の画像処理装置。
【発明の詳細な説明】
【技術分野】
【０００１】
本発明は、パーソナルコンピュータやダイレクトプリント対応のプリンタなどに適用することが可能な画像処理装置に関し、特に画像データの処理を簡単に実行することができる画像処理装置に関する。
【背景技術】
【０００２】
撮影対象をデジタルデータとして記録することができるデジタルスチルカメラが知られている。このような装置では、撮影した画像データは本体内のメモリに蓄えられ、必要に応じて取り出せるようにしている場合が多い。この場合、画像データを通信によって外部機器と送受信できるようになっているものがある（例えば、特許文献１参照）。
【特許文献１】特開２００１−２３０９９９公報
【発明の開示】
【発明が解決しようとする課題】
【０００３】
しかしながら、従来の方法では、デジタルカメラで撮影した画像をＰＣ（パーソナルコンピュータ）等の外部機器に取り込む場合には一括して転送していたため、これらの画像に対して処理を行うためには、別ソフトを起動して処理する必要があるが、特定の画像グループごとに決まった処理を行いたい場合に、人手により画像と処理ソフトを選択して処理を行うため手間がかかっていた。
また、従来の方法では、画像をＰＣ等に取り込む場合には指定のフォルダか新規に作成したフォルダに一括して転送していたため、画像の分類を転送後に行うため手間がかかっていた。また、一括転送によって取り込んだ画像を必要に応じて別の装置に送信する場合に、人手により画像と処理ソフトを選択して処理を行うため手間がかかっていた。また、一括転送によって取り込んだ画像を必要に応じてワープロ等の電子文書に貼り付ける場合に、人手により画像と処理ソフトを選択して処理を行うため手間がかかっていた。
そこで、本発明は、上述した実情を考慮してなされたもので、画像データの処理を簡単に実行することができる画像処理装置を提供することを目的とする。
【課題を解決するための手段】
【０００４】
上記の課題を解決するために、請求項１に記載の発明は、画像ファイル内に付加データを付加して記録することができる記録手段を有する画像記録装置と通信することにより前記画像ファイルを受信してデータを転送するデータ転送手段と、転送されたデータを格納する記憶手段と、前記画像ファイル内の前記付加データにより指定された処理を行う制御手段と、を備えることを特徴とする。
また請求項２に記載の発明は、前記付加データは画像の分類データであり、前記付加データにより分類されるファイルを選択して転送することを特徴とする。
また請求項３に記載の発明は、前記付加データはファイル送信先データであり、転送されたファイルを前記付加データと関連する送信先に送信することを特徴とする。
また請求項４に記載の発明は、前記付加データは文書作成指示データであり、転送されたファイルから前記付加データにより指示される文書に画像データを埋め込むことを特徴とする。
【発明の効果】
【０００５】
本発明によれば、画像ファイルの画像に付加される付加情報により画像処理を行うことで、画像を取り込む際に自動的に選択してファイルを処理することが可能になり、画像データの処理を簡単に実行することができる。
【発明を実施するための最良の形態】
【０００６】
以下、図面を参照して、本発明を実施するための最良の形態である画像処理装置について詳細に説明する。ここで説明する画像処理装置は、指定された処理を実行するための情報やメモなどの付加データを画像に埋め込む（付加する）ことができる機能を備えたデジタルスチルカメラ等の画像記録装置に対して画像データ及び付加データのやり取りが可能である。撮影前にデジタルスチルカメラ（画像記録装置）のＬＣＤ（Liquid Crystal Display）で撮影者の希望する入力内容を選択してから撮影することにより画像データファイル内に付加データとして埋め込み（付加して）記録される。あるいは、再生時に入力内容を選択して埋め込んでもよい。メモなどの入力では、手間を省くために付加データエリアに音声や画像データを埋め込んでもよい。
図１は本発明を実施するための最良の形態である画像処理装置の要部ブロック構成図である。図１に示すように、画像処理装置はプログラムにより処理を行うＣＰＵ１、プログラムを格納するＲＯＭ２、ＲＡＭ３、データを格納するメモリカード４、メモリカードＩ／Ｆ５、ＨＤＤ６、キーボードやマウスによる入力制御手段７、ＣＲＴやＬＣＤによる表示制御手段８、外部機器と通信を行うＵＳＢ  Ｉ／Ｆ９、通信Ｉ／Ｆ１０を備えている。なお、データ取り込みには、メモリカード４による受け渡しや、ＵＳＢやＬＡＮ等の通信による受け渡しのいずれか１つを具備すればよい。
これらはパーソナルコンピュータ（ＰＣ）と画像取り込みソフトウェア（ＳＷ）で構成することができる。ＰＣはオペレーティングシステム（ＯＳ）を搭載しており、ＳＷはＯＳの機能により実行される。ＰＣはＨＤＤ等の記憶装置を搭載しており、記憶装置はＯＳの機能であるファイルシステム（ＦＳ）により記憶エリアとして管理されている。アプリケーションソフトウェアはＯＳの提供する機能により記憶エリアにアクセスすることができ、ドライブ名、フォルダ名、ファイル名からなるファイルパス名で記憶エリアを指定する。このように画像処理装置はＰＣ、ＳＷ、ＯＳを含む構成により、画像ファイル内に付加データを埋め込んで記録する記録手段を持つ画像記録装置と通信することにより画像ファイルを受信してデータを転送するデータ転送手段と、転送されたデータを格納する記憶手段が実現される。
【０００７】
図２は本発明を実施するための最良の形態である画像処理装置を実現するために必要な基本処理動作を示すフローチャートである。この動作フローを説明すると、メモリカードやＵＳＢ  Ｉ／Ｆにより画像データファイルを受け取ると、ステップＳ１で転送するファイルがあるかを確認し、ファイルがなければ取り込みを終了する。ファイルがあればステップＳ２へ進み、カメラからファイルを転送し、ステップＳ３でＨＤＤ内の予め決められたフォルダ等にファイルを格納する。そして、ステップＳ４で処理が成功したかどうかを確認し、成功していればステップＳ１へ戻り、成功していなければデータの取り込みを終了する。図３はファイル構造の例を示したものである。ファイル構造はＥＸＩＦ等の標準化されたフォーマットのオプション領域に付加データを格納してもよい。
図４は本発明を実施するための最良の形態である画像処理装置において付加データによる処理を行う場合の動作を示す処理フローである。この動作フローでは、メモリカードやＵＳＢ  Ｉ／Ｆにより処理制御データを付加された画像データファイルを受け取ると、ステップＳ１１で転送するファイルがあるかを確認し、ファイルがなければ取り込みを終了する。ファイルがあればステップＳ１２へ進み、カメラからファイルを転送し、ステップＳ１３で付加データがあるかどうかを確認し、付加データがなければステップＳ１４で予め決められたデフォルト処理を実行し、付加データがある場合はステップＳ１５で付加データによる処理を行う。ステップＳ１４若しくはステップＳ１５の後はステップＳ１６へ移って処理が成功したかどうかを確認し、成功していればステップＳ１１へ戻り、成功していなければデータの取り込みを終了する。したがって、画像を取り込む際に自動的に選択してファイルを処理するので、画像データの処理を簡単に実行することができる。
【０００８】
図５は付加データが予め指定されたデータと一致する場合にファイルを取得しＨＤＤ内の予め決められたフォルダ等にファイルを格納する場合の処理フローを示す。この場合、付加データにより分類されるファイルを選択して転送するようになっている。この動作フローでは、メモリカードやＵＳＢ  Ｉ／Ｆにより画像データファイルを受け取ると、ステップＳ２１で転送するファイルがあるかを確認し、ファイルがなければ取り込みを終了する。ファイルがあればステップＳ２２へ進み、付加データを取得し、ステップＳ２３へ進んで付加データがあるかどうかを確認し、付加データがなければステップＳ２１へ戻り、付加データがある場合はステップＳ２４へ進んで付加データが指定データであるかを確認し、指定データでなければステップＳ２１へ戻り、指定データであればステップＳ２５へ進む。ステップＳ２５では、ファイルを取得し、ＨＤＤに格納し、その後、ステップＳ２６へ移って処理が成功したかどうかを確認し、成功していればステップＳ２１へ戻り、成功していなければデータの取り込みを終了する。したがって、画像を取り込む際に自動的に選択してファイルを取り込むことができる。
図６に付加データの第１例を示す。この場合の付加データとしてはデータ１として転送方法、データ２としてサーバ名、データ３として格納先、データ４としてファイル名が設定される。
【０００９】
図７は転送方法にＦＴＰ等の転送が指定されていると、指定されたサーバの格納先のファイルに転送を行うため処理プログラムを起動する場合の処理フローを示す。この場合、転送されたファイルを付加データと関連する送信先に送信するようになっている。この動作フローでは、ステップＳ３１において処理がファイル転送かどうかを確認し、ファイル転送でなければステップＳ３２へ移って処理なしとなる。ファイル転送であればステップＳ３３へ進んでサーバ名、格納先、ファイル名を取り出し、さらに、ステップＳ３４へ進んで転送方法のプログラムを起動する。そして、ステップＳ３５へ進んで処理が成功したかどうかを確認し、成功していなければステップＳ３６でＮＧとなり、成功していればステップＳ３７でＯＫと認識される。したがって、画像を取り込む際に自動的に選択して他の装置にファイルを送信することができる。
図８に付加データの第２例を示す。この場合の付加データとしてはデータ１としてアプリケーション名、データ２としてテンプレート名、データ３として画像の貼り付け場所、データ４としてファイル名が設定される。
図９はアプリケーションが指定されていると、指定されたテンプレートの貼り付け場所に画像データを貼り付けて指定のファイル名に保存を行う場合の処理フローを示す。この場合、転送されたファイルから付加データにより指示される文書に画像データを埋め込むようになっている。この動作フローでは、ステップＳ４１においてアプリケーションが存在するかを確認し、アプリケーションが存在しなければステップＳ４２へ移って処理なしとなる。アプリケーションが存在すればステップＳ４３へ進んでテンプレート名、貼り付け場所、ファイル名を取り出し、さらに、ステップＳ４４へ進んでアプリケーションのプログラムを起動する。そして、ステップＳ４５へ進んで処理が成功したかどうかを確認し、成功していなければステップＳ４６でＮＧとなり、成功していればステップＳ４７でＯＫと認識される。したがって、画像を取り込む際に自動的に選択して電子文書に画像を貼り付けることができる。
【図面の簡単な説明】
【００１０】
【図１】本発明を実施するための最良の形態である画像処理装置の要部ブロック構成図。
【図２】本発明を実施するための最良の形態である画像処理装置を実現するために必要な基本処理動作を示すフローチャート。
【図３】ファイル構造の例を示した概略図。
【図４】本発明を実施するための最良の形態である画像処理装置における処理動作の一例を示すフローチャート。
【図５】ファイルを格納する場合の処理動作を示すフローチャート。
【図６】付加データの第１例を示す概略図。
【図７】ファイルに転送を行うため処理プログラムを起動する場合の処理動作の一例を示すフローチャート。
【図８】付加データの第２例を示す概略図。
【図９】画像データを貼り付けて指定のファイル名に保存する場合の処理動作の一例を示すフローチャート。
【符号の説明】
【００１１】
１  ＣＰＵ、２  ＲＯＭ、３  ＲＡＭ、４  メモリカード、５  メモリカードＩ／Ｆ、６  ＨＤＤ、７  入力制御手段、８  表示制御手段、９  ＵＳＢ  Ｉ／Ｆ、１０  通信Ｉ／Ｆ
【図１】
2006005494.tif 000003
【図２】
2006005494.tif 000004
【図３】
2006005494.tif 000005
【図４】
2006005494.tif 000006
【図５】
2006005494.tif 000007
【図６】
2006005494.tif 000008
【図７】
2006005494.tif 000009
【図８】
2006005494.tif 000010
【図９】
2006005494.tif 000011